(57)【要約】【課題】単三、単四など２種類のサイズの電池を簡単にセットすることができる充電又は電力供給のための回路装置を提供することを課題とする。【解決手段】単三形電池がセットされる第１の収納凹部１１と、単四形電池がセットされる第２の収納凹部１２と、両収納凹部１１・１２の一側方の壁部１５に取り付けられたプラス側端子１９と、第１の収納凹部１１の他側方の壁部１６に取り付けられたマイナス側端子２０と、第１の収納凹部１１内の他側端部に凹設された案内凹部１３と、を具備した充電又は電力供給のための回路装置であって、マイナス側端子２０は前記壁部１６に取り付けられた基部２１と、該基部２１の一端２１ｃから延出された第１の接触部２２と、該第１の接触部２２の一端２２ａから延設されたアーム部２３と、該アーム部２３の一端２３ａから延設された第２の接触部２４と、を備えた構成とする。【選択図】  図４
2005304209.tif 000002
【特許請求の範囲】
【請求項１】
２種類のサイズの電池のうち大きい方の電池がセットされる第１の収納凹部と、
前記第１の収納凹部内の長手方向一側端から長手方向他側へ向けて凹設され、前記２種類のサイズの電池のうち小さい方の電池がセットされる第２の収納凹部と、
前記第１の収納凹部にセットされた大きい方の電池のプラス極端子と前記第２の収納凹部にセットされた小さい方の電池のプラス極端子の両方が接触可能な構成で、前記第２の収納凹部が凹む方向に長手形状に形成されて、前記両収納凹部の長手方向一側方の壁部に取り付けられたプラス側端子と、
前記第１の収納凹部にセットされた大きい方の電池のマイナス極端子と前記第２の収納凹部にセットされた小さい方の電池のマイナス極端子の両方が接触可能に収納凹部の長手方向に弾性変形可能な構成で、前記第１の収納凹部の長手方向他側方の壁部に取り付けられたマイナス側端子と、
前記弾性変形可能なマイナス側端子の先端の移動経路に沿って、前記第１の収納凹部内の長手方向他側端部に凹設された案内凹部と、
を具備し、
２種類のサイズの電池がセット可能な充電又は電力供給のための回路装置であって、
前記マイナス側端子は、
前記第１の収納凹部の長手方向他側方の壁部に取り付けられた基部と、
前記基部の一端から延出されて、該基部に対して収納凹部の長手方向に弾性回動可能な構成で、前記第１の収納凹部にセットされた大きい方の電池のマイナス極端子と接触する第１の接触部と、
前記第１の接触部の一端から延設された、該第１の接触部に対して収納凹部の長手方向に弾性回動可能なアーム部と、
前記アーム部の一端から延設されて、前記アーム部が収納凹部の長手方向他側方へ弾性回動することにより前記第２の収納凹部にセットされた小さい方の電池のマイナス極端子と接触するとともに、前記第１の収納凹部に大きい方の電池がセットされたときに、前記第１の接触部が収納凹部の長手方向他側方へ弾性回動することにより前記案内凹部内に没する前記マイナス側端子の先端の第２の接触部と、を備えた充電又は電力供給のための回路装置。
【請求項２】
前記アーム部の肉厚を前記第１の接触部の肉厚よりも薄く形成したことを特徴とする請求項１に記載の充電又は電力供給のための回路装置。
【請求項３】
前記アーム部の横幅を前記第１の接触部の横幅よりも狭く形成したことを特徴とする請求項１又は請求項２に記載の充電又は電力供給のための回路装置。
【請求項４】
前記案内溝部の前記小さい方の電池がセットされる側の側部に、前記第２の接触部が該第２の接触部の前記第１の接触部の一端を中心とした回動軌跡面から所定量以上電池のセット方向へ変位するのを規制する規制部材を設けたことを特徴とする請求項１から請求項３のうち何れか一項に記載の充電又は電力供給のための回路装置。
【請求項５】
前記第２の接触部を丸みを帯びた形状に形成したことを特徴とする請求項１から請求項４のうち何れか一項に記載の充電又は電力供給のための回路装置。
【発明の詳細な説明】
【技術分野】
【０００１】
本発明は、２種類のサイズの電池がセット可能な充電又は電力供給のための回路装置に関する。
【背景技術】
【０００２】
従来より、単三、単四など異なる２種類のサイズの電池がセット可能な充電装置が知られており、このような充電装置は、例えば、特許文献１に開示されている。
この特許文献１に開示されている充電装置には、単三形電池と単四形電池の長手方向の寸法に合わせてそのマイナス側端子位置を調整するためのマイナス側端子位置調整部材が設けられており、このマイナス側端子位置調整部材は電池の収納部に対して傾倒可能な構成で、充電装置に単三形電池をセットするときには、マイナス側端子位置調整部材を寝かしておいて、該単三形電池を充電装置本体のプラス側端子とマイナス側端子との間にセットし、単四形電池をセットするときには、マイナス側端子位置調整部材を起こして、該単四形電池を該マイナス側端子位置調整部材と充電装置本体のプラス側端子との間にセットするように構成されている。
【０００３】
【特許文献１】特開２０００−３４８７７９号公報
【発明の開示】
【発明が解決しようとする課題】
【０００４】
しかしながら、特許文献１に開示されている充電装置では、単三形電池のセットと単四形電池とセットとで、マイナス側端子位置調整部材を寝かしたり起こしたりする必要があり、この操作はユーザにとっては手間で面倒臭く、利便性の点で課題がある。
そこで、本発明では、従来の構成とは全く異なる構成で、単三、単四など２種類のサイズの電池を簡単にセットすることができる充電装置を含む充電又は電力供給のための回路装置を提供することを課題とする。
【課題を解決するための手段】
【０００５】
本発明の解決しようとする課題は以上のとおりであり、次にこの課題を解決するための手段を説明する。
まず、請求項１に記載のように、２種類のサイズの電池のうち大きい方の電池がセットされる第１の収納凹部と、前記第１の収納凹部内の長手方向一側端から長手方向他側へ向けて凹設され、前記２種類のサイズの電池のうち小さい方の電池がセットされる第２の収納凹部と、前記第１の収納凹部にセットされた大きい方の電池のプラス極端子と前記第２の収納凹部にセットされた小さい方の電池のプラス極端子の両方が接触可能な構成で、前記第２の収納凹部が凹む方向に長手形状に形成されて、前記両収納凹部の長手方向一側方の壁部に取り付けられたプラス側端子と、前記第１の収納凹部にセットされた大きい方の電池のマイナス極端子と前記第２の収納凹部にセットされた小さい方の電池のマイナス極端子の両方が接触可能に収納凹部の長手方向に弾性変形可能な構成で、前記第１の収納凹部の長手方向他側方の壁部に取り付けられたマイナス側端子と、前記弾性変形可能なマイナス側端子の先端の移動経路に沿って、前記第１の収納凹部内の長手方向他側端部に凹設された案内凹部と、を具備し、２種類のサイズの電池がセット可能な充電又は電力供給のための回路装置であって、前記マイナス側端子は、前記第１の収納凹部の長手方向他側方の壁部に取り付けられた基部と、前記基部の一端から延出されて、該基部に対して収納凹部の長手方向に弾性回動可能な構成で、前記第１の収納凹部にセットされた大きい方の電池のマイナス極端子と接触する第１の接触部と、前記第１の接触部の一端から延設された、該第１の接触部に対して収納凹部の長手方向に弾性回動可能なアーム部と、前記アーム部の一端から延設されて、前記アーム部が収納凹部の長手方向他側方へ弾性回動することにより前記第２の収納凹部にセットされた小さい方の電池のマイナス極端子と接触するとともに、前記第１の収納凹部に大きい方の電池がセットされたときに、前記第１の接触部が収納凹部の長手方向他側方へ弾性回動することにより前記案内凹部内に没する前記マイナス側端子の先端の第２の接触部と、を備えた充電又は電力供給のための回路装置とする。
【０００６】
また、請求項２に記載のように、前記アーム部の肉厚を前記第１の接触部の肉厚よりも薄く形成する。
【０００７】
そして、請求項３に記載のように、前記アーム部の横幅を前記第１の接触部の横幅よりも狭く形成する。
【０００８】
さらに、請求項４に記載のように、前記案内溝部の前記小さい方の電池がセットされる側の側部に、前記第２の接触部が該第２の接触部の前記第１の接触部の一端を中心とした回動軌跡面から所定量以上電池のセット方向へ変位するのを規制する規制部材を設ける。
【０００９】
そうして、請求項５に記載のように、前記第２の接触部を丸みを帯びた形状に形成する。
【発明の効果】
【００１０】
本発明は、以上のように構成したことにより、次のような効果を奏する。
まず、請求項１に記載の発明では、大きい方の電池であっても小さい方の電池であっても充電又は電力供給のための回路装置にセットするときに、ワンタッチで簡単にセットすることができ、利便性の向上が図られている。さらに、本発明の構成では、大きい方の電池のセット位置と小さい方の電池のセット位置が複雑に入り組んでいないのでどこにセットしていいのか迷うこともなく、そのセット位置が機器の取扱いに弱い人でも容易にわかり、大きい方の電池をセットするときも、小さい方の電池をセットするときも略同じ位置から同じ手順でセットすれことができ、マイナス側端子の弾性回動により両サイズの電池のセット位置が調整されるようになっていて使い勝手がよい。
【００１１】
また、請求項２に記載の発明では、前記アーム部の方が前記第１の接触部よりも弾性変形し易く構成されて、充電又は電力供給のための回路装置の第２の収納凹部に小さい方の電池をセットするときに、第１の接触部がアーム部に連れて弾性回動するのを効果的に防いで、アーム部を第１の接触部の一端を中心に回動させることができ、アーム部の一端から延設された第２の接触部に小さい方の電池のマイナス極端子が確実に当たるようにすることができて、信頼性が向上する。
【００１２】
また、請求項３に記載の発明でも、前記アーム部の方が前記第１の接触部よりも弾性変形し易く構成されて、充電又は電力供給のための回路装置の第２の収納凹部に小さい方の電池をセットするときに、第１の接触部がアーム部に連れて弾性回動するのを効果的に防いで、アーム部を第１の接触部の一端を中心に回動させることができ、アーム部の一端から延設された第２の接触部に小さい方の電池のマイナス極端子が確実に当たるようにすることができて、信頼性が向上する。
【００１３】
そして、請求項４に記載の発明では、充電又は電力供給のための回路装置の第２の収納凹部に小さい方の電池をセットするときに、アーム部の弾性回動に連れて第１の接触部が基部に対して弾性回動してアーム部が電池のセット方向へ下がろうとしたときに、規制部材によってアーム部の一端から延設された第２の接触部が該第２の接触部の第１の接触部の一端を中心とした回動軌跡面から所定量以上電池のセット方向へ変位するのを規制することができて、該第２の接触部に小さい方の電池のマイナス極端子が確実に当たるようにすることができ、信頼性が向上する。
【００１４】
さらに、請求項５に記載の発明では、充電又は電力供給のための回路装置に小さい方の電池をセットするときに、円弧状など丸みを帯びた形状に形成された第２の接触部が小さい方の電池のマイナス極端子にソフトに当たって、双方が傷つくのを防止することができる。
【発明を実施するための最良の形態】
【００１５】
次に、本発明の実施の一形態を、図面を参照しながら説明する。
以下では、本発明の充電又は電力供給のための回路装置の一例として充電装置の回路装置を例に挙げて説明するが、本発明は充電装置の回路装置に限らず、ラジオや時計など電池で動く機器の電池セット部に形成された電池から負荷へ電力を供給するための回路装置であってもよい。
【００１６】
図１に示すように、充電装置１は２つの電池セット部１０・１０を備え、各電池セット部１０には２種類のサイズの二次電池（以下、電池という）がセット可能に構成されている。ここでは、この２種類のサイズの電池を、単三形電池と単四形電池として説明するが、これらのサイズの電池に限定するものではない。
【００１７】
この単三形電池３０と単四形電池４０がセット可能な充電装置１は、国産タバコ２０本入標準カートンと同程度の寸法で、短手方向長さは単三形電池３０の長手方向長さと略同じ長さに、長手方向長さは単三形電池３０の長手方向長さの１．５倍以内に、高さは単三形電池３０の直径の１．７５倍以内としてコンパクト化が図られ、業界最小寸法に構成されている。
【００１８】
図１から図４に示すように、前記各電池セット部１０は、前記２種類のサイズの電池のうちの大きい方のサイズである単三形電池３０がセットされる第１の収納凹部１１と、第１の収納凹部１１内の長手方向一側端から長手方向他側へ向けて凹設され、２種類のサイズの電池のうちの小さい方のサイズである単四形電池４０がセットされる第２の収納凹部１２と、第１の収納凹部１１にセットされた単三形電池３０のプラス極端子３１と第２の収納凹部にセットされた単四形電池４０のプラス極端子４１の両方が接触可能な構成で、第２の収納凹部１２が凹む方向に長手形状に形成されて、両収納凹部１１・１２の長手方向一側方の壁部１５に取り付けられたプラス側端子１９と、第１の収納凹部１１にセットされた単三形電池３０のマイナス極端子３２と第２の収納凹部１２にセットされた単四形電池４０のマイナス極端子４２の両方が接触可能に収納凹部の長手方向に弾性変形可能な構成で、第１の収納凹部１１の長手方向他側方の壁部１６に取り付けられたマイナス側端子２０と、弾性変形可能なマイナス側端子２０の先端（後述の第２の接触部２４）の移動経路に沿って、第１の収納凹部１１内の長手方向他側端部に凹設された案内凹部１３と、を備えている。
【００１９】
図５に示すように、第２の収納凹部１２は第１の収納凹部１１の下部から凹陥しており、該第１の収納凹部１１は単三形電池３０の下半部の外周形状に沿った凹曲面に形成され、該第２の収納凹部１１は単四形電池４０の下部の外周形状に沿った凹曲面に形成されている。このような構成で、第１の収納凹部１１には、単三形電池３０の下半部が収まり、該単三形電池３０の下半部における半径方向両側部が第１の収納凹部１１の凹曲面に支持され、該単三形電池３０の下端部は前記第２の収納凹部１２上に位置して中空に浮いた状態となる。また、第２の収納凹部１２には、単四形電池４０の下部が隙間なく収まるように構成されている。
【００２０】
図２、図４に示すように、前記マイナス側端子２０は、第１の収納凹部１１の長手方向他側方の壁部１６に取り付けられた基部２１と、該基部２１の一端２１ｃから延出された第１の接触部２２と、該第１の接触部２２の一端２２ａから延設されたアーム部２３と、該アーム部２３の一端２３ａから延設された第２の接触部２４と、を備えている。
【００２１】
前記基部２１は側面視「Ｊ」字を上下逆にした形状で、前記壁部１６に取り付けられた垂直部２１ａと、該垂直部の上端から円弧状に湾曲する円弧部２１ｂとを有し、このマイナス側端子２０の基部２１の垂直部２１ａの下端と、前記プラス側端子１９の下端とは回路基板１８に接続されて、両端子間１９・２０が通電可能に構成されている。
基部２１の円弧部２１ｂは略１８０度の弧で形成されて、該円弧部２１ｂの一端２１ｃから第１の接触部２２が延設されている。この第１の接触部２２は、図６に示すように、基部２１に対して収納凹部の長手方向に弾性回動可能な構成で、第１の収納凹部１１にセットされた単三形電池３０のマイナス極端子３２と接触するように構成されている。
【００２２】
前記アーム部２３は側面視「Ｌ」字状に形成されて、該アーム部２３は第１の接触部２２に対して収納凹部の長手方向に弾性回動可能に構成されている。このアーム部２３は、図２に示すように、その横幅（収納凹部の短手方向に対する長さ）が第１の接触部２２の横幅よりも狭く形成されており、アーム部２３の方が第１の接触部２２よりも弾性変形し易く構成されている。図２では、アーム部２３は第１の接触部２２の一端から第２の接触部２４へ向けて徐々に横幅が狭くなるようにテーパー状に形成されているが、この形状に限定するものではない。
【００２３】
このようにアーム部２３の横幅を第１の接触部２２の横幅よりも狭く形成することで、充電装置１の第２の収納凹部１２に単四形電池４０をセットするときに、第１の接触部２２がアーム部２３に連れて弾性回動するのを効果的に防いで、アーム部２３を第１の接触部２２の一端２２ａを中心に回動させることができ、アーム部２３の一端２３ａから延設された第２の接触部２４に単四形電池４０のマイナス極端子４２が確実に当たるようにすることができて、信頼性の向上が図られている。
【００２４】
また、アーム部２３の肉厚を第１の接触部２２の肉厚よりも薄く形成してもよく、この場合も、アーム部２３の方が第１の接触部２２よりも弾性変形し易くなって、充電装置１の第２の収納凹部１２に単四形電池４０をセットするときに、第１の接触部２２がアーム部２３に連れて弾性回動するのを効果的に防いで、アーム部２３を第１の接触部２２の一端を中心に回動させることができ、アーム部２３の一端から延設された第２の接触部２４に単四形電池４０のマイナス極端子４２が確実に当たるようにすることができて、信頼性の向上を図ることができる。
【００２５】
前記第２の接触部２４は円弧状に丸みを帯びた形状に形成されて、マイナス側端子２０の先端に設けられ、アーム部２３が収納凹部の長手方向他側方へ弾性回動することにより第２の収納凹部２２にセットされた単四形電池４０のマイナス極端子４２と接触するとともに（図７参照）、第１の収納凹部１１に単三形電池３０がセットされたときに、前記第１の接触部１１が収納凹部の長手方向他側方へ弾性回動することにより前記案内凹部１３内に略完全に没する（図６参照）ように構成されている。
【００２６】
なお、第２の接触部２４の形状は円弧状に限定するものではなく、三角形状でその角をＲ面取りをした形状などでもよく、その丸みを帯びた形状は特に限定はしない。
この第２の接触部２４は第２の収納凹部２２にセットされる単四形電池４０のマイナス極端子４２にソフトに当たって、双方が傷つくのを防止している。
【００２７】
また、図４、図５に示すように、前記案内溝部１３には、単四形電池４０がセットされる側の側部（反壁部１６側の側部）に、前記第２の接触部２４が該第２の接触部２４の前記第１の接触部２２の一端２２ａを中心とした回動軌跡面から所定量（例えば、数ｍｍ）以上下方（電池のセット方向）へ変位するのを規制する規制部材１７が設けられている。この規制部材１７は壁部１６側の上部に傾斜面が形成されており、アーム部２３が規制部材１７の傾斜面に当たるようなことがあれば、該規制部材１７の傾斜面に案内されながらアーム部２３は回動するように構成されている。
なお、この規制部材１７は第２の収納凹部１２を形成するフレームと一体的に形成されていても、別体で形成されていてもよい。
【００２８】
このような構成で、充電装置１の第２の収納凹部１２に単四形電池４０をセットするときに、アーム部２３の弾性回動に連れて第１の接触部２２が基部２１に対して弾性回動してアーム部２３が電池のセット方向へ下がろうとしたときに、規制部材１７によってアーム部２３の一端から延設された第２の接触部２４が該第２の接触部２４の前記第１の接触部２２の一端２２ａを中心とした回動軌跡面から所定量以上下方へ変位するのを規制することができて、該第２の接触部２４に単四形電池４０のマイナス極端子４２が確実に当たるようにすることができ、信頼性の向上が図られている。
【００２９】
以上のように本発明が構成され、本発明では、単三形電池３０であっても単四形電池４０であっても充電装置１にセットするときに、ワンタッチで簡単にセットすることができ、利便性の向上が図られている。さらに、本発明の構成では、単三形電池３０のセット位置と単四形電池４０のセット位置が複雑に入り組んでいないのでどこにセットしていいのか迷うこともなく、そのセット位置が機器の取扱いに弱い人でも容易にわかり、単三形電池３０をセットするときも、単四形電池４０をセットするときも略同じ位置から同じ手順でセットすれことができ、マイナス側端子２０の弾性回動により両サイズの電池３０・４０のセット位置が調整されるようになっていて使い勝手がよいように構成されている。
【図面の簡単な説明】
【００３０】
【図１】充電装置１の平面図。
【図２】電池セット部１０の平面図。
【図３】マイナス側端子２０を取り除いた状態での電池セット部１０の平面図。
【図４】図２における矢視Ａ−Ａ断面図。
【図５】図３における矢視Ｂ−Ｂ断面図。
【図６】電池セット部１０の単三形電池３０をセットした状態の図。
【図７】電池セット部１０の単四形電池４０をセットした状態の図。
【符号の説明】
【００３１】
１    充電装置
１０    電池セット部
１１    第１の収納凹部
１２    第２の収納凹部
１３    案内凹部
１７    規制部材
１９    プラス側端子
２０    マイナス側端子
２１    基部
２２    第１の接触部
２３    アーム部
２４    第２の接触部
３０    単三形電池
４０    単四形電池
【図１】
2005304209.tif 000003
【図２】
2005304209.tif 000004
【図３】
2005304209.tif 000005
【図４】
2005304209.tif 000006
【図５】
2005304209.tif 000007
【図６】
2005304209.tif 000008
【図７】
2005304209.tif 000009